(57)【要約】      （修正有）【課題】かさばることなく持ち運びが容易なフェイスシールドを提供する。【解決手段】フェイスシールド１は、可撓性の樹脂プレートを切断することによって形成されるベルト２及びシールド３を備える。シールドの取付端縁３１には側縁３３に沿って延びるとともにベルトが挿入される一対の外側及び内側ベルト挿入孔３４ａ、ｂが形成される。ベルトは、第１ベルト部４及び第２ベルト部５によって構成される。第１ベルト部は、一方の端４ａに位置し凹形状を有する第１連結固定部と、他方の端４ｂに位置する鍵部と、一方の端及び他方の端との間に位置し交差方向に延びるスリット部とを備える。第２ベルト部は、一方の端５ａに位置し第２連結固定部が形成される固定領域と、他方の端５ｂに位置する先細領域と、固定領域及び先細領域の間に位置し鍵穴部５２が形成される鍵穴領域とを備える。【選択図】図１
0003228622.tif 000002
【実用新案登録請求の範囲】
【請求項１】
着用者の頭部に巻き付けられるベルトと、前記ベルトに取り付けられるシールドとを備えるフェイスシールドであって、
前記ベルト及び前記シールドは可撓性の樹脂プレートを切断することによって形成され、
前記シールドは、取付端縁と前記取付端縁の反対側に位置する開放端縁と前記取付端縁及び前記開放端縁の間に延びる一対の側縁とを有し、前記取付端縁には前記側縁に沿って延びるとともに前記ベルトが挿入される一対のベルト挿入孔が形成され、
前記ベルトは、第１ベルト部及び第２ベルト部と、前記第１ベルト部の端に設けられた鍵部と、前記第２ベルト部に設けられ前記鍵部が係合される複数の鍵穴部と、前記第１ベルト部及び前記第２ベルト部にそれぞれ設けられ前記シールドの前記側縁に係合されるシールド係止爪とを備えることを特徴とするフェイスシールド。
【請求項２】
前記第１ベルト部と前記第２ベルト部とは別部材で形成されるとともに、それぞれ一方の端及び他方の端を有し、前記第１ベルト部の前記一方の端に設けられた第１連結固定部と前記第２ベルト部の前記一方の端に設けられた第２連結固定部とによって互いに連結固定されることを特徴とする請求項１記載のフェイスシールド。
【請求項３】
前記第２ベルト部は、前記一方の端に位置する固定領域と、前記他方の端に位置する先細領域と、前記固定領域及び前記先細領域の間に位置し、前記鍵穴部が形成された鍵穴領域とを備え、
前記第１ベルト部には前記先細領域が挿入可能なスリット部が形成されることを特徴とする請求項１又は２記載のフェイスシールド。
【請求項４】
前記第１ベルト部には、前記第２ベルト部に係止可能なベルト係止爪を備えることを特徴とする請求項１〜３のいずれかにのフェイスシールド。
【考案の詳細な説明】
【技術分野】
【０００１】
この考案は、自身の咳やくしゃみの飛沫が拡散するのを防止したり、他者の咳やくしゃみの飛沫が顔面に付着するのを防止したりするためのフェイスシールドに関する。
【背景技術】
【０００２】
従来、着用者の頭部に着脱するためのフレームとフレームに固定され着用者の顔面を覆うシールドとを具備するフェイスシールドが知られている。フレームは頭部に対応する曲状を有し弾性変形可能に構成されている。フレームの弾性変形力によって着用者の頭部にフェイスシールドを支持させることができる。
【先行技術文献】
【特許文献】
【０００３】
【特許文献１】特開２０１５−２０５１０４号
【考案の概要】
【考案が解決しようとする課題】
【０００４】
特許文献１によれば、フレームは頭部に位置する環状の本体フレームと、本体フレームに連結されシールドを固定するシールドフレームとを備える。シールドフレームとシールドとは直交するように固定されているから、フェイスシールド全体として立体的になって容量が大きくかさばり、持ち運びが不便であるという問題があった。
【０００５】
この考案では、かさばることなく持ち運びが容易なフェイスシールドを提供することを課題とする。
【課題を解決するための手段】
【０００６】
この考案は、着用者の頭部に巻き付けられるベルトと、前記ベルトに取り付けられるシールドとを備えるフェイスシールドであって、前記ベルト及び前記シールドは可撓性の樹脂プレートを切断することによって形成され、前記シールドは、取付端縁と前記取付端縁の反対側に位置する開放端縁と前記取付端縁及び前記開放端縁の間に延びる一対の側縁とを有し、前記取付端縁には前記側縁に沿って延びるとともに前記ベルトが挿入される一対のベルト挿入孔が形成され、前記ベルトは、第１ベルト部及び第２ベルト部と、前記第１ベルト部の一方の端に設けられた鍵部と、前記第２ベルト部に設けられ前記鍵部が係合される複数の鍵穴部と、前記第１ベルト部及び前記第２ベルト部にそれぞれ設けられ前記シールドの前記側縁に係合されるシールド係止爪とを備えることを特徴とする。
このフェイスシールドによれば、ベルト及びシールドを可撓性の樹脂プレートによって構成し、これらを組み立てることによって立体的なフェイスシールドにすることができる。したがって、組立前においては平面でコンパクトな状態であり、持ち運びが容易である。さらに、鍵穴部を複数設けることにより、頭囲に応じたサイズ調整をすることができる。
【０００７】
前記第１ベルト部と前記第２ベルト部とは別部材で形成されるとともに、それぞれ一方の端及び他方の端を有し、前記第１ベルト部の前記一方の端に設けられた第１連結固定部と前記第２ベルト部の前記一方の端に設けられた第２連結固定部とによって互いに連結固定されることを特徴とする。
ベルトを分離可能とすることによって、組立前においてよりコンパクトにすることができる。
【０００８】
前記第２ベルト部は、前記一方の端に位置する固定領域と、前記他方の端に位置する先細領域と、前記固定領域及び前記先細領域の間に位置し、前記鍵穴部が形成された鍵穴領域とを備え、前記第１ベルト部には前記先細領域が挿入可能なスリット部が形成されることを特徴とする。
したがって、第２ベルト部の一方の端を第１ベルトの一部に収めることができ、ベルト全体を着用者の頭部に密着させることができる。
【０００９】
前記第１ベルト部には、前記第２ベルト部に係止可能なベルト係止爪を備えることを特徴とする。
したがって、第１ベルト部と第２ベルト部とを互いに密着させることができ、ベルト全体として着用者の頭部に密着させることができる。
【図面の簡単な説明】
【００１０】
【図１】フェイスシールドの使用状態の概要を示す斜視図。
【図２】（ａ）組立前のフェイスシールドの第１ベルト部の平面図。（ｂ）組立前のフェイスシールドの第２ベルト部の平面図。
【図３】組立前のフェイスシールドのシールドの平面図。
【考案を実施するための形態】
【００１１】
図１を参照すれば、この考案にかかるフェイスシールド１は、着用者の頭部に巻き付けられるベルト２と、ベルトに取り付けられるシールド３とを備える。
図２及び図３に示したように、ベルト２及びシールド３は可撓性の樹脂プレートを切断することによって形成される。この実施形態において、可撓性の樹脂プレートとして、約０．５ｍｍの透明の可撓性塩化ビニール樹脂プレートを用い、これを型抜き加工することによって、平面状のベルト２及びシールド３を得ることができる。これら平面状のベルト２とシールド３とを組み立てることによって図１に示した立体的なフェイスシールド１とすることができる。
【００１２】
図１及び図３に示したように、シールド３は、取付端縁３１と、取付端縁３１の反対側に位置する開放端縁３２と、取付端縁３１及び開放端縁３２の間に延びる一対の側縁３３とを有する。この実施形態において、開放端縁３２における側縁３３間の寸法は、取付端縁３１におけるそれよりも小さく、開放端縁３２に向かってすぼんだ形状となっている。取付端縁３１には側縁３３に沿って延びるとともにベルトが挿入される一対のベルト挿入孔３４が形成される。ベルト挿入孔３４は並列に複数対設けられる。この実施形態では、取付端縁３１近傍に位置する外側ベルト挿入孔３４ａと、その内側に位置する内側ベルト挿入孔３４ｂとを備える。外側ベルト挿入孔３４ａと内側ベルト挿入孔３４ｂとは平行に設けられ、それぞれ長さ約４２ｍｍ、幅約２ｍｍであり、それらの離間寸法は約２０ｍｍである。外側ベルト挿入孔３４ａは、内側ベルト挿入孔３４ｂよりも約２ｍｍ、取付端縁３１に近い位置に配置される。
【００１３】
図１及び図２に示したように、この実施形態において、ベルト２は、第１ベルト部４及び第２ベルト部５によって構成される。第１ベルト部４は、一方の端４ａに位置し凹形状を有する第１連結固定部４１と、他方の端４ｂに位置する鍵部４２と、一方の端４ａ及び他方の端４ｂとの間に位置し交差方向２ｂに延びるスリット部４３とを備える。スリット部４３には第２ベルト部が挿入される。第１ベルト部４の長手方向２ａの寸法、すなわち一方の端４ａの第１連結固定部４１から他方の端４ｂの鍵部４２までの寸法は約３４５ｍｍ、交差方向２ｂの寸法は一方の端４ａから他方の端４ｂに亘ってほぼ一定であり約４０ｍｍである。スリット部４３の長手方向２ａの寸法、すなわちスリット幅は約２ｍｍ、交差方向２ｂの寸法、すなわちスリット長さは約２１ｍｍである。
【００１４】
鍵部４２は、頭部４２ａと、頭部４２ａよりも交差方向２ｂの寸法が小さい首部４２ｂとを有する。頭部４２ａの交差方向２ｂの寸法は約１８ｍｍであり、首部４２ｂの交差方向２ｂの寸法は約６ｍｍである。
【００１５】
第２ベルト部５は、一方の端５ａに位置し第２連結固定部５１が形成される固定領域５０ａと、他方の端５ｂに位置する先細領域５０ｃと、固定領域５０ａ及び先細領域５０ｃの間に位置し鍵穴部５２が形成される鍵穴領域５０ｂとを備える。第２連結固定部５１は凸形状であり、凹形状の第１連結固定部４１に係合させることによって、第１ベルト部４の一方の端４ａと、第２ベルト部５の一方の端５ａとを互いに連結固定することができる（図１参照）。
【００１６】
この実施形態において第２ベルト部５の長手方向２ａの寸法、すなわち一方の端５ａから他方の端５ｂまでの寸法は約３４５ｍｍであり、固定領域５１ａの交差方向２ｂの寸法は約４０ｍｍ、鍵穴領域５１ｂの交差方向２ｂの寸法は約３０ｍｍ、先細領域５１ｃの交差方向２ｂの寸法は約２０ｍｍである。
【００１７】
鍵穴部５２は、鍵穴領域５０ｂにおいて長手方向２ａに複数並んで設けられる。鍵穴部５２は、交差方向２ｂに延びる基部５２ａと、基部５２ａから他方の端５ｂに向かって延びる凸部５２ｂとを備える。基部５２ａの交差方向２ｂの寸法は鍵部４２の頭部４２ａが挿入可能な大きさであって約２０ｍｍであり、凸部５２ｂの交差方向２ｂの寸法は頭部４２ａよりも小さくかつ首部４２ｂが挿入可能な大きさである約６．５ｍｍである。
【００１８】
上記のような鍵穴部５２に第２ベルト部５の鍵部４２を係合させることによって、第１ベルト部４の他方の端４ｂと、第２ベルト部５の他方の端５ｂとを互いに連結することができる。より詳細には、基部５２ａに鍵部４２の頭部４２ａを挿入し、首部４２ｂを凸部５２ｂに移動させることによって、鍵穴部５２から鍵部４２が外れないようにこれらを保持することができる。鍵穴部５２は長手方向２ａに複数設けられているので、いずれの鍵穴部５２に鍵部４２を挿入するかによって、ベルト２全体の径の大きさを決定することができ、着用者の頭囲に合わせて調整することができる。
【００１９】
上記のようなベルト２において第１ベルト部４の第１連結固定部４１とスリット部４３との間であって交差方向２ｂにおける中心線２ｃ近傍にはシールド係止爪４４が設けられる。シールド係止爪４４は一方の端４ａ側に開放端を有する略コ字状の切込みによって形成される。同様に鍵部４２とスリット４３の間であって中心線２ｃの外側にはベルト係止爪４５，４６が設けられる。ベルト係止爪４５，４６は中心線２ｃ側に開放端を有する略コ字状の切込みによって形成される。第２ベルト部５の第２連結固定部５１と鍵穴部５２との間であって中心線２ｃ近傍にもシールド係止爪５３が設けられる。シールド係止爪５３は一方の端５ａ側に開放端を有する略コ字状の切込みによって形成される。
【００２０】
上記のような構成において、平面のベルト２及びシールド３を立体的に組み立てることによってフェイスシールド１として着用することができる。まず、第１ベルト部４の第１連結固定部４１の凹状に第２ベルト部５の第２連結固定部５１の凸状を挿入及び係合することによって、一本の長いベルト２とする。次にベルト２とシールド３とを連結する。すなわち、第１ベルト部４の他方の端４ｂをシールド３の図３左側における内側ベルト挿入孔３４ｂに図面手前側から挿入し、外側ベルト挿入孔３４ａに図面奥側から手前に向かって挿入する。そして、シールド係止爪４４を外側ベルト挿入孔３４ａに引っ掛けて第１ベルト部４とシールド３とを固定する。
【００２１】
同様に、第２ベルト部５の他方の端５ｂをシールド３の図３右側における内側ベルト挿入孔３４ｂに図面手前側から挿入し、外側ベルト挿入孔３４ａに図面奥側から手前に向かって挿入する。そして、シールド係止爪５３を外側ベルト挿入孔３４ａに引っ掛けて第２ベルト部５とシールド３とを固定する。
【００２２】
第１ベルト部４の一方の端４ａと第２ベルト部５の一方の端５ａとを連結した状態において、シールド係止爪４４とシールド係止爪５３との寸法は、シールド３の外側ベルト挿入孔３４ａ間の寸法よりも小さいので、上記のようにシールド係止爪４４，５３を外側ベルト挿入孔３４ａにそれぞれ引っ掛けることによって、シールド３が図１に示したように湾曲し、着用者の顔面全体を覆うような立体形状にすることができる。
【００２３】
次に、シールド３が着用者の顔面に位置するようにベルト２を着用者の頭部に当て、第１ベルト部４の鍵部４２を第２ベルト部５の鍵穴部５２に挿入する。鍵穴部５２は複数あるから着用者の頭囲に応じた位置を任意に選択することができる。鍵部４２を鍵穴部５２に挿入し、首部４２ｂを凸部５２ｂに係合させたら、第２ベルト部５の他方の端５ｂ、すなわち先細領域５０ｃの一部を第１ベルト部４のスリット部４３に挿入し、他方の端５ｂを収める。このように第２ベルト部５の他方の端５ｂを収めることによって、第１ベルト部４及び第２ベルト部５を密着させ、ベルト２全体を着用者の頭部に密着させることができる。なお、挿入する鍵穴部５２によっては、一方の端５ａがスリット部４３に到達しない場合もあるが、その場合にはスリット部４３に挿入することを要しない。
【００２４】
上記のように鍵部４２を鍵穴部５２に挿入すると、第１ベルト部４と第２ベルト部５が重なり合う。重なり合った部分で、第１ベルト部４のベルト係止爪４５，４６を第２ベルト部５に引っ掛けて第１ベルト部４と第２ベルト部５とが離間するのを防止することができ、ベルト２全体を着用者の頭部に密着させ良好な着用感を得ることができる。また、第１ベルト部４は、第２ベルト部５の鍵穴領域５０ｂにおいて重なり合う。第１ベルト部４は鍵穴領域５０ｂよりも交差方向の寸法が大きいので、ベルト係止爪４５，４６の基端が鍵穴領域５０ｂの外側に位置し、これらベルト係止爪４５，４６を第２ベルト部５に引っ掛けやすい。
【００２５】
以上のようにこの考案のフェイスシールド１によれば、組立前は平面の状態であるから嵩張らず持ち運びが容易である。また、ベルト２とシールド３とに分離され、さらにベルト２は第１ベルト部４と第２ベルト部５とに分離されるから、よりコンパクトに収納可能で、持ち運びやすい。さらに、保管場所の省スペース化を図ることもできる。
【００２６】
第１ベルト部４、第２ベルト部５及びシールド３は、工具等を必要とせず容易に組立可能である。したがって、必要な時にすぐに組み立てて着用することができる。
【００２７】
上記のようなフェイスシールド１は、複数の鍵穴部５２を備えることにより、子供から大人まで様々な頭囲の着用者にフィットさせることができる。したがって、複数のサイズ展開をする必要がなく、安価なフェイスシールドを提供することができる。
【００２８】
フェイスシールド１は、この実施形態で用いた材料のほか、この種の分野において通常用いられる公知の材料を制限なく用いることができる。また、寸法は例示に過ぎず、適宜変更可能である。
【符号の説明】
【００２９】
１      フェイスシールド
２      ベルト
２ａ    長手方向
２ｂ    交差方向
３      シールド
４      第１ベルト
４ａ    一方の端
４ｂ    他方の端
５      第２ベルト
５ａ    一方の端
５ｂ    他方の端
３１    取付端縁
３２    開放端縁
４１    第１連結固定部
４２    鍵部
４３    スリット部
４４    シールド係止爪
４５    シールド係止爪
４６    ベルト係止爪
５１    第２連結固定部
５０ａ  固定領域
５０ｂ  鍵穴領域
５０ｃ  先細領域
５３    シールド係止爪
【図１】
0003228622.tif 000003
【図２】
0003228622.tif 000004
【図３】
0003228622.tif 000005
【手続補正書】
【提出日】令和2年7月31日(2020.7.31)
【手続補正１】
【補正対象書類名】実用新案登録請求の範囲
【補正対象項目名】請求項３
【補正方法】変更
【補正の内容】
【請求項３】
前記第２ベルト部は、前記一方の端に位置する固定領域と、前記他方の端に位置する先細領域と、前記固定領域及び前記先細領域の間に位置し、前記鍵穴部が形成された鍵穴領域とを備え、
前記第１ベルト部には前記先細領域が挿入可能なスリット部が形成されることを特徴とする請求項２記載のフェイスシールド。